(57)【特許請求の範囲】
【請求項１】
直管形ランプの径方向から差し込まれ、該直管形ランプを挟み込む挟み込み部及び該挟み込み部から突出する第１の連結部を有する取付部材と、
広告の上端部の一部を保持する広告保持部及び該広告保持部から突出し、前記第１の連結部に連結される第２の連結部を有するホルダ部材と、
前記第１の連結部の外側の面に接触し、前記ホルダ部材が揺れ動くことを抑制する抑制部と、を備え、
前記第１の連結部及び前記第２の連結部のうち、いずれか一方に突部が設けられ、他方に前記突部が嵌る孔又は窪みが形成され、
前記ホルダ部材が、前記広告を挟み込む第１の挟み込み部材及び第２の挟み込み部材により少なくとも構成され、
前記第１の挟み込み部材及び前記第２の挟み込み部材が、それぞれ、複数の突部が設けられた第１の接触面及び第２の接触面を有し、
前記第１の挟み込み部材に形成された孔と、前記第２の挟み込み部材に設けられ、前記広告に開けられた孔を通る突起とが、スナップフィットによって結合され、
前記第１の接触面及び前記第２の接触面によって、前記広告が挟まれる吊り具。
【請求項２】
請求項１に記載の吊り具において、
前記第１の連結部に、前記直管形ランプと前記取付部材とを結束する結束バンドを通す孔が形成されている吊り具。
【請求項３】
請求項２記載の吊り具において、
前記挟み込み部が、前記直管形ランプの外周面に対向する内周面を有し、
前記内周面に、該内周面に沿って間隔を空けて配置され、前記直管形ランプの外周面に接触する複数の突部が設けられている吊り具。
【請求項４】
直管形ランプと、
前記直管形ランプに取り付けられる吊り具と、を備え、
前記吊り具が、前記直管形ランプの径方向から差し込まれ、該直管形ランプを挟み込む挟み込み部及び該挟み込み部から突出する第１の連結部を有する取付部材と、
広告の上端部の一部を保持する広告保持部及び該広告保持部から突出し、前記第１の連結部に連結される第２の連結部を有するホルダ部材と、
前記第１の連結部の外側の面に接触し、前記ホルダ部材が揺れ動くことを抑制する抑制部と、を有し、
前記第１の連結部及び前記第２の連結部のうち、いずれか一方に突部が設けられ、他方に前記突部が嵌る孔又は窪みが形成され、
前記ホルダ部材が、前記広告を挟み込む第１の挟み込み部材及び第２の挟み込み部材により少なくとも構成され、
前記第１の挟み込み部材及び前記第２の挟み込み部材が、それぞれ、複数の突部が設けられた第１の接触面及び第２の接触面を有し、
前記第１の挟み込み部材に形成された孔と、前記第２の挟み込み部材に設けられ、前記広告に開けられた孔を通る突起とが、スナップフィットによって結合され、
前記第１の接触面及び前記第２の接触面によって、前記広告が挟まれる吊り具付き照明器具。
【請求項５】
請求項１記載の吊り具を使用した広告の吊り下げ方法であって、
前記広告の上端部に、前記ホルダ部材を間隔を空けて複数取り付けるステップと、
直管形ランプに、前記取付部材を前記間隔を空けて複数取り付けるステップと、
前記直管形ランプに取り付けられた前記取付部材に、前記広告に取り付けられた前記ホルダ部材を連結するステップと、を含む広告の吊り下げ方法。
【請求項６】
灯具に取り付けられる取付部材と、
広告の上端部の一部を保持する広告保持部及び該広告保持部から突出し前記取り付け部材に連結される連結部を有するホルダ部材と、
前記取付部材の外側の面に接触し、前記ホルダ部材が揺れ動くことを抑制する抑制部と、を備え、
前記取付部材及び連結部のうち、いずれか一方に突部が設けられ、他方に前記突部が嵌る孔又は窪みが形成され、
前記ホルダ部材が、前記広告を挟み込む第１の挟み込み部材及び第２の挟み込み部材により少なくとも構成され、
前記第１の挟み込み部材及び前記第２の挟み込み部材が、それぞれ、複数の突部が設けられた第１の接触面及び第２の接触面を有し、
前記第１の挟み込み部材に形成された孔と、前記第２の挟み込み部材に設けられ、前記広告に開けられた孔を通る突起とが、スナップフィットによって結合され、
前記第１の接触面及び前記第２の接触面によって、前記広告が挟まれる吊り具。
【請求項７】
請求項１〜６のいずれか１項に記載の広告に代えて、表示物とした吊り具。
【請求項８】
請求項１又は請求項６記載の吊り具が備えるホルダ部材。
【請求項９】
請求項１又は請求項６記載の吊り具が備える取付部材。
【請求項１０】
請求項６記載の吊り具が備える取付部材が設けられた照明器具。
【発明の詳細な説明】
【技術分野】
【０００１】
本発明は、吊り具、ホルダ部材、取付部材、照明器具及び広告の吊り下げ方法に関する。
【背景技術】
【０００２】
特許文献１には、取付け性や照明性などに優れたポップカード等の商品広告具が記載されている。
この商品広告具は、天井に取り付けられた照明灯に吊り下げられるとともに照明灯で発する熱に耐えうる耐熱性弾性材料から形成される係止部と、この係止部の下部に設けられたレール状クリップと、このレール状クリップに上端縁が把持される広告紙とを備えている。係止部は、上部が略Ｃ字型に形成されると共に、その開口端に照明灯を支持する円弧状の支持部が形成されている。
【先行技術文献】
【特許文献】
【０００３】
【特許文献１】特開２００４−１９９００８号公報
【発明の概要】
【発明が解決しようとする課題】
【０００４】
ここで一般に、広告を吊り下げる吊り具は、任意の幅の広告を吊り下げられることが好ましい。
本発明は、任意の幅の広告を吊り下げられる吊り具、ホルダ部材、取付部材、照明器具及び広告の吊り下げ方法を提供することを目的とする。
【課題を解決するための手段】
【０００５】
前記目的に沿う第１の発明に係る吊り具は、直管形ランプの径方向から差し込まれ、該直管形ランプを挟み込む挟み込み部及び該挟み込み部から突出する第１の連結部を有する取付部材と、
広告の上端部の一部を保持する広告保持部及び該広告保持部から突出し、前記第１の連結部に連結される第２の連結部を有するホルダ部材と、
前記第１の連結部の外側の面に接触し、前記ホルダ部材が揺れ動くことを抑制する抑制部と、を備え、
前記第１の連結部及び前記第２の連結部のうち、いずれか一方に突部が設けられ、他方に前記突部が嵌る孔又は窪みが形成され、
前記ホルダ部材が、前記広告を挟み込む第１の挟み込み部材及び第２の挟み込み部材により少なくとも構成され、
前記第１の挟み込み部材及び前記第２の挟み込み部材が、それぞれ、複数の突部が設けられた第１の接触面及び第２の接触面を有し、
前記第１の挟み込み部材に形成された孔と、前記第２の挟み込み部材に設けられ、前記広告に開けられた孔を通る突起とが、スナップフィットによって結合され、
前記第１の接触面及び前記第２の接触面によって、前記広告が挟まれる。
【０００６】
【０００７】
【０００８】
【０００９】
【００１０】
【００１１】
第１の発明に係る吊り具において、
前記第１の連結部に、前記直管形ランプと前記取付部材とを結束する結束バンドを通す孔が形成されていることが好ましい。
【００１２】
第１の発明に係る吊り具において、
前記挟み込み部が、前記直管形ランプの外周面に対向する内周面を有し、
前記内周面に、該内周面に沿って間隔を空けて配置され、前記直管形ランプの外周面に接触する複数の突部が設けられていることが好ましい。
【００１３】
前記目的に沿う第２の発明に係る吊り具付き照明器具は、直管形ランプと、
前記直管形ランプに取り付けられる吊り具と、を備え、
前記吊り具が、前記直管形ランプの径方向から差し込まれ、該直管形ランプを挟み込む挟み込み部及び該挟み込み部から突出する第１の連結部を有する取付部材と、
広告の上端部の一部を保持する広告保持部及び該広告保持部から突出し、前記第１の連結部に連結される第２の連結部を有するホルダ部材と、
前記第１の連結部の外側の面に接触し、前記ホルダ部材が揺れ動くことを抑制する抑制部と、を有し、
前記第１の連結部及び前記第２の連結部のうち、いずれか一方に突部が設けられ、他方に前記突部が嵌る孔又は窪みが形成され、
前記ホルダ部材が、前記広告を挟み込む第１の挟み込み部材及び第２の挟み込み部材により少なくとも構成され、
前記第１の挟み込み部材及び前記第２の挟み込み部材が、それぞれ、複数の突部が設けられた第１の接触面及び第２の接触面を有し、
前記第１の挟み込み部材に形成された孔と、前記第２の挟み込み部材に設けられ、前記広告に開けられた孔を通る突起とが、スナップフィットによって結合され、
前記第１の接触面及び前記第２の接触面によって、前記広告が挟まれる。
【００１４】
前記目的に沿う第３の発明に係る広告の吊り下げ方法は、第１の発明に係る吊り具を使用した広告の吊り下げ方法であって、
前記広告の上端部に、前記ホルダ部材を間隔を空けて複数取り付けるステップと、
直管形ランプに、前記取付部材を前記間隔を空けて複数取り付けるステップと、
前記直管形ランプに取り付けられた前記取付部材に、前記広告に取り付けられた前記ホルダ部材を連結するステップと、を含む。
【００１５】
前記目的に沿う第４の発明に係る吊り具は、灯具に取り付けられる取付部材と、
広告の上端部の一部を保持する広告保持部及び該広告保持部から突出し前記取り付け部材に連結される連結部を有するホルダ部材と、
前記取付部材の外側の面に接触し、前記ホルダ部材が揺れ動くことを抑制する抑制部と、を備え、
前記取付部材及び連結部のうち、いずれか一方に突部が設けられ、他方に前記突部が嵌る孔又は窪みが形成され、
前記ホルダ部材が、前記広告を挟み込む第１の挟み込み部材及び第２の挟み込み部材により少なくとも構成され、
前記第１の挟み込み部材及び前記第２の挟み込み部材が、それぞれ、複数の突部が設けられた第１の接触面及び第２の接触面を有し、
前記第１の挟み込み部材に形成された孔と、前記第２の挟み込み部材に設けられ、前記広告に開けられた孔を通る突起とが、スナップフィットによって結合され、
前記第１の接触面及び前記第２の接触面によって、前記広告が挟まれる。
前記目的に沿う第５の発明に係る吊り具は、第１の発明、第２の発明、第３の発明又は第４の発明に係る広告に代えて、表示物としたものである。
【００１６】
前記目的に沿う第６の発明に係るホルダ部材は、第１の発明又は第４の発明に係る吊り具が備えるホルダ部材である。
【００１７】
前記目的に沿う第７の発明に係る取付部材は、第１の発明又は第４の発明に係る吊り具が備える取付部材である。
【００１８】
前記目的に沿う第８の発明に係る照明器具は、第４の発明に係る吊り具が備える取付部材が設けられている。
【発明の効果】
【００１９】
本発明によれば、任意の幅の広告を吊り下げられる吊り具、ホルダ部材、取付部材、照明器具及び広告の吊り下げ方法を提供できる。
【図面の簡単な説明】
【００２０】
【図１】本発明の一実施の形態に係る吊り具の分解説明図である。
【図２Ａ】同吊り具の斜視図である。
【図２Ｂ】図２Ａの反対側から見た同吊り具の斜視図である。
【図３Ａ】同吊り具の正面図である。
【図３Ｂ】同吊り具の左側面図である。
【図３Ｃ】同吊り具の背面図である。
【図４】同吊り具が備える取付部材の斜視図である。
【図５Ａ】同吊り具が備える取付部材の正面図である。
【図５Ｂ】同吊り具が備える取付部材の左側面図である。
【図５Ｃ】同吊り具が備える取付部材の右側面図である。
【図６Ａ】同吊り具が備えるホルダ部材の斜視図である。
【図６Ｂ】図６Ａの反対側から見た同吊り具が備えるホルダ部材の斜視図である。
【図７】同吊り具と直管形ＬＥＤランプとが結束バンドによって結束された状態を示す説明図である。
【図８】同吊り具が備える取付部材にホルダ部材を連結させる直前の状態を示す説明図である。
【発明を実施するための形態】
【００２１】
続いて、添付した図面を参照しつつ、本発明を具体化した実施の形態につき説明し、本発明の理解に供する。なお、説明に関連しない部分は図示を省略する場合がある。
【００２２】
本発明の一実施の形態に係る吊り具１０は、図１に示すように、直管形ＬＥＤランプ（直管形ランプの一例）ＬＭＰに複数（例えば３つ）取り付けられ、例えばメッシュターポリン等の印刷基材に印刷された広告ＡＤを吊り下げることができる。吊り具１０の材質は、ポリカーボネート樹脂である。ただし、吊り具１０の材質は、ポリカーボネート樹脂に限定されるものではない。吊り具１０の材質は、例えば透明の樹脂であってもよい。
なお、直管形ＬＥＤランプＬＭＰ及びこの直管形ＬＥＤランプＬＭＰに取り付けられた吊り具１０は、吊り具１０が吊り下げる広告ＡＤを照らす照明器具と捉えることもできる。
【００２３】
吊り具１０は、図２Ａ、図２Ｂ、及び図３Ａ〜図３Ｃに示すように、取付部材２０及びホルダ部材３０を備えている。
取付部材２０は、直管形ＬＥＤランプＬＭＰに取り付けられる。
取付部材２０は、図４及び図５Ａ〜図５Ｃに示すように、挟み込み部２１０及び第１の連結部２２０を有している。
【００２４】
挟み込み部２１０は、直管形ＬＥＤランプＬＭＰの下方（直管形ＬＥＤランプＬＭＰの径方向）から差し込まれ、直管形ＬＥＤランプＬＭＰを挟み込むことができる。
挟み込み部２１０は、直管形ＬＥＤランプＬＭＰの外周面に対向する内周面２１２及び内周面２１２の反対側の面となる外周面２１４を有し、中心軸が直管形ＬＥＤランプＬＭＰの長手方向となる円筒状の部材の上側の部分が切り取られた形状となっている。
【００２５】
挟み込み部２１０の内周面２１２には、図５Ｂ及び図５Ｃに示すように、直管形ＬＥＤランプＬＭＰの外周面に接触する複数の突部２１６が設けられている。これら複数の突部２１６は、それぞれ、内周面２１２に沿って間隔を空けて配置され、直管形ＬＥＤランプＬＭＰの長手方向に沿って延びている。複数の突起２１６が設けられていることにより、取り付けられる直管形ＬＥＤランプＬＭＰの大きさや真円度にばらつきがあっても、挟み込み部２１０が安定して固定される。
挟み込み部２１０の外周面２１４の中央部には、図４及び図５Ａに示すように、周方向に沿って、溝ＧＲＶ１０が形成されている。
【００２６】
また、挟み込み部２１０の両側面部は肉盗みされ、図５Ｂ及び図５Ｃに示すように、肉盗み部２１１ａ〜２１１ｊが設けられている。特に、挟み込み部２１０の下部に肉盗み部２１１ｃ、２１１ｈが設けられていることにより、挟み込み部２１０の先端を開く方向（同図に示す矢印参照）の力が加わった際に発生する応力が、肉盗み部２１１ｃ、２１１ｈの奥まった箇所（同図のハッチングにて示す肉盗み部２１１ｃ、２１１ｈの底部）に加わり、この箇所が最初に破壊されるので、挟み込み部自体が破断して取付部材２０が落下する可能性が低減される。
【００２７】
第１の連結部２２０は、挟み込み部２１０の下部から突出して設けられている。第１の連結部２２０には、ホルダ部材３０（図１参照）が連結される。
第１の連結部２２０は、図４及び図５Ａ〜図５Ｃに示すように、正面部材２２２ａ、背面部材２２２ｂ、及び側面部材２２２ｃを有している。
【００２８】
正面部材２２２ａは、挟み込み部２１０から下方へ延びる板状の部材であり、厚み方向が直管形ＬＥＤランプＬＭＰの長手方向と実質的に直交する方向となっている。正面部材２２２ａの基部には、図５Ａに示すように、結束バンドＢＮＤ（図７参照）を通すための矩形状の孔Ｈ１０ａが、ＬＥＤランプＬＭＰの長手方向と実質的に直交する方向に貫通して形成されている。孔Ｈ１０ａの下方には、上下方向に長い矩形状の孔Ｈ１２ａが形成されている。正面部材２２２ａの背面部材２２２ｂと対向する側の面（内側の面）には、図４及び図５Ｂに示すように、側面部材２２２ｃとは反対の側の端部から孔Ｈ１２ａまで、直管形ＬＥＤランプＬＭＰの長手方向に延びる溝ＧＲＶ１２ａが形成されている。
【００２９】
背面部材２２２ｂは、正面部材２２２ａと間隔を空けて挟み込み部２１０から下方へ延びる板状の部材である。背面部材２２２ｂの基部には、結束バンドＢＮＤ（図７参照）を通すための矩形状の孔Ｈ１０ｂ（図３Ｃ参照）が、正面部材２２２ａに形成された孔Ｈ１０ａと実質的に同じ方向に貫通して形成されている。孔Ｈ１０ｂの下方には、上下方向に長い矩形状の孔Ｈ１２ｂが形成されている。背面部材２２２ｂの正面部材２２２ａに形成された溝ＧＲＶ１２ａと対向する位置には、図４及び図５Ｂに示すように、同形状の溝ＧＲＶ１２ｂが形成されている。
背面部材２２２ｂは、正面部材２２２ａとともにホルダ部材３０を挟み込むことができる。
【００３０】
側面部材２２２ｃは、正面部材２２２ａの側部及び背面部材２２２ｂの側部を繋ぐように挟み込み部２１０から下方へ延びている。側面部材２２２ｃの下端の中央部には、図５Ｂ及び図５Ｃに示すように、ホルダ部材３０が連結される際にホルダ部材３０との干渉を避けるための切り欠きＣＯＰ１０が形成されている。側面部材２２２ｃの内側の面には、図５Ａ及び図５Ｂに示すように、左右方向に延びる突部ＰＲＪ５が形成されている。
【００３１】
ホルダ部材３０は、図６Ａ及び図６Ｂに示すように、板状の部材である。ホルダ部材３０は、広告ＡＤ（図１参照）を保持できる。
ホルダ部材３０は、広告保持部３１０、第２の連結部３２０、及び突部３３０ａ、３３０ｂを有している。
【００３２】
広告保持部３１０は、広告ＡＤの上端部の一部を挟んで保持できる。広告保持部３１０の広告ＡＤを把持する面には、図３Ａ〜図３Ｃに示すように、複数の突部ＰＲＪ１０ａ、ＰＲＪ１０ｂが設けられている。
【００３３】
第２の連結部３２０は、広告保持部３１０から上方に突出し、取付部材２０の第１の連結部２２０（図８参照）に連結される。第２の連結部３２０には、第１の連結部２２０に形成された孔Ｈ１２ａ、Ｈ１２ｂにそれぞれ嵌る突部ＰＲＪ１２ａ、ＰＲＪ１２ｂが設けられている（図３Ａ及び図３Ｃ参照）。
【００３４】
突部（抑制部の一例）３３０ａ、３３０ｂは、図６Ａ及び図６Ｂに示すように、第２の連結部３２０の両面にそれぞれ設けられている。突部３３０ａ、３３０ｂは、図２Ａ及び図２Ｂに示すように、第１の連結部２２０の外側の面（正面部材２２２ａ及び背面部材２２２ｂの端面）に接触する。突部ＰＲＪ１２ａ、ＰＲＪ１２ｂ及び突部３３０ａ、３３０ｂが第１の連結部２２０を挟むように配置されているので、突部３３０ａ、３３０ｂが設けられていない場合と比較して、ホルダ部材３０が揺れ動くことが抑制される。
【００３５】
詳細には、ホルダ部材３０は、厚み方向中央部にて分割可能となっており、図６Ａ及び図６Ｂに示すように、第１の板状部材３０ａ及び第２の板状部材３０ｂにより少なくとも構成されている。第１の板状部材３０ａ及び第２の板状部材３０ｂは、互いにスナップフィットにより機械的に結合されている。
【００３６】
第１の板状部材３０ａは、図６Ａに示すように、広告保持部３１０の一部をなす矩形部３１０ａ、第２の連結部３２０の一部をなす三角形部３２０ａ、及び突部３３０ａを有している。
【００３７】
矩形部３１０ａは、正面から見て矩形状である。矩形部３１０ａの第２の板状部材３０ｂに対向する側の面（内側の面）の上部の両隅部にはそれぞれ突起ＰＲＪ１４ａ（図６Ｂ参照）が形成され、下部の両隅部にはそれぞれ孔Ｈ２０ａ（図６Ａ参照）が形成されている。矩形部３１０ａの内側の面の上部以外の面は、広告ＡＤの上端部に対向する第１の接触面となっている。この第１の接触面には、複数の突部ＰＲＪ１０ａ（図３Ａ及び図３Ｂ参照）が設けられている。
【００３８】
三角形部３２０ａは、図６Ａに示すように、矩形部３１０ａから上方に突出し、正面から見て直角三角形状となっている。三角形部３２０ａの第２の板状部材３０ｂに対向する側とは反対の面（外側の面）には、外側に突出する突部ＰＲＪ１２ａが設けられている。
【００３９】
突部３３０ａは、三角形部３２０ａの外側表面に設けられ、図３Ａに示すように、正面部材２２２ａの端面（側面）に接触する。
【００４０】
第２の板状部材３０ｂは、図６Ｂに示すように、広告保持部３１０の一部をなす矩形部３１０ｂ、第２の連結部３２０の一部をなす三角形部３２０ｂ、及び突部３３０ｂを有している。
【００４１】
矩形部３１０ｂは、正面から見て矩形状である。矩形部３１０ｂの第１の板状部材３０ａに対向する側の面（内側の面）の上部の両隅部にはそれぞれ突起ＰＲＪ１４ａが嵌る孔Ｈ２２ｂが設けられ、下部の両隅部にはそれぞれスナップフィットにより孔Ｈ２０ａに結合される突起ＰＲＪ１６ｂ（図６Ａ参照）が設けられている。矩形部３１０ｂの内側の面の上部以外の面は、第１の接触面とともに広告ＡＤの上端部を挟む第２の接触面となっている。この第２の接触面には、正面から見て複数の突部ＰＲＪ１０ａとは異なる位置に複数の突部ＰＲＪ１０ｂ（図３Ｂ及び図３Ｃ参照）が設けられている。
【００４２】
三角形部３２０ｂは、図６Ｂに示すように、矩形部３１０ｂから上方に突出し、正面から見て直角三角形状となっている。三角形部３２０ｂの第１の板状部材３０ａに対向する側とは反対の面（外側の面）には、外側に突出する突部ＰＲＪ１２ｂが設けられている。
【００４３】
突部３３０ｂは、三角形部３２０ｂの外側表面に設けられ、図３Ｃに示すように、背面部材２２２ｂの端面（側面）に接触する。
【００４４】
次に、吊り具１０を用いた広告ＡＤの吊り下げ方法について説明する。広告ＡＤは、以下のステップに従って取り付けられる。ただし、可能な場合には、各ステップの順番が入れ替えて実行されてもよいし、並行して実行されてもよい。
【００４５】
（ステップＳ１）
広告内容を印刷基材に印刷する。印刷された印刷基材の上端部に、取り付けられるホルダ部材３０（図１参照）の数に応じて、第２のホルダ部材３０ｂの突起ＰＲＪ１６ｂ（図３Ａ参照）を通すための孔（不図示）を開ける。
【００４６】
（ステップＳ２）
第２のホルダ部材３０ｂの突起ＰＲＪ１６ｂを広告ＡＤに開けられた孔に通す。第１の板状部材３０ａと第２の板状部材３０ｂとをスナップフィットにより結合させ、広告ＡＤにホルダ部材３０を取り付ける。
広告ＡＤの両面には、ホルダ部材３０の広告保持部３１０に形成された複数の突部ＰＲＪ１０ａ、ＰＲＪ１０ｂがそれぞれ接触し、広告ＡＤとホルダ部材３０との間には必要な摩擦力が発生するので、吊り下げた広告ＡＤが脱落してしまう可能性が低減される。
ホルダ部材３０は、広告ＡＤの上端部に間隔を空けて複数（例えば３つ）取り付けられる。ホルダ部材３０が複数取り付けられた広告ＡＤは、長手方向に折りたためるので、取り扱いが容易である。
【００４７】
（ステップＳ３）
直管形ＬＥＤランプＬＭＰ（図１参照）に、複数（例えば３つ）の取付部材２０をそれぞれ間隔を空けて取り付ける。
取付部材２０は、直管形ＬＥＤランプＬＭＰを挟み込むので、直管形ＬＥＤランプＬＭＰが水平に設置されていなくても固定される。
【００４８】
なお、直管形ＬＥＤランプＬＭＰがエスカレータが設置された場所の天井面等、大きく傾斜した天井面に設置されている場合には、第１の連結部２２０の基部に形成された孔Ｈ１０ａ、Ｈ１０ｂ（図３Ａ及び図３Ｃ参照）に結束バンドＢＮＤを通し、図７に示すように、取付部材２０及び直管形ＬＥＤランプＬＭＰを結束できる。結束バンドＢＮＤは、溝ＧＲＶ１０の内部に収まった状態で締められる。結束バンドＢＮＤを使用することで、直管形ＬＥＤランプＬＭＰに取り付けられた取付部材２０がずれ動いてしまうことが抑制される。
【００４９】
（ステップＳ４）
各取付部材２０の第１の連結部２２０に、対応するホルダ部材３０の第２の連結部３２０を連結する（図８参照）。
詳細には、第２の連結部３２０に設けられた突部ＰＲＪ１２ａ、ＰＲＪ１２ｂを、第１の連結部２２０の正面部材２２２ａ及び背面部材２２２ｂにそれぞれ形成された溝ＧＲＶ１２ａ、ＧＲＶ１２ｂに沿って、直管形ＬＥＤランプＬＭＰの長手方向に挿入する。ホルダ部材３０を第２の連結部３２０（図８参照）の端面が側面部材２２２ｃ（図５Ｂ参照）の内側の面に突き当たるまで移動させると、突部ＰＲＪ１２ａ、ＰＲＪ１２ｂが正面部材２２２ａ及び背面部材２２２ｂにそれぞれ形成された孔Ｈ１２ａ、Ｈ１２ｂに嵌る。その後、ホルダ部材３０を下方へ移動させると、突部ＰＲＪ１２ａ、ＰＲＪ１２ｂがそれぞれ孔Ｈ１２ａ、Ｈ１２ｂに沿って移動し、図５Ａに示すように、突部ＰＲＪ１２ａ、ＰＲＪ１２ｂの下側の端面が孔Ｈ１２ａ、Ｈ１２ｂの下側の縁に突き当たる。また、第２の連結部３２０は、第１の連結部材２２０の側面部材２２２ｃに形成された突部ＰＲＪ５によって、上方向への移動が抑制される。
【００５０】
このように、第２の連結部３２０は、第１の連結部材に直管形ＬＥＤランプＬＭＰの長手方向（下方向以外の方向）から挿入された後、正面部材２２２ａ及び背面部材２２２ｂによって挟まれ、第１の連結部２２０に連結される。また、第１の板状部材３０ａ及び第２の板状部材３０ｂの突部３３０ａ、３３０ｂがそれぞれ正面部材２２２ａ及び背面部材２２２ｂの端面に接触し、突部ＰＲＪ１２ａ、ＰＲＪ１２ｂとともに第１の連結部２２０を挟む状態となるので、ホルダ部材３０が揺れ動くことが抑制される。
【００５１】
なお、取付部材２０にホルダ部材３０を連結する際、取付部材２０の位置が広告ＡＤに取り付けられたホルダ部材３０の位置と合わない場合には、取付部材２０の位置を直管形ＬＥＤランプＬＭＰの長手方向にずらして調整できる。
【００５２】
このように、吊り具１０によれば、取り付ける間隔や個数を自由に設定できるので、任意の幅の広告を吊り下げられる。
また、吊り具１０によれば、取付部材２０にホルダ部材３０を連結させるだけで広告ＡＤを吊り下げることができる。従って、広告ＡＤを交換する際にはホルダ部材３０ごと取り替えれば良いので、作業が容易である。
更に、吊り具１０によれば、広告が直管形ＬＥＤランプの下方に吊り下げられて目立つので、人目を引きやすい。
【００５３】
以上、本発明の実施の形態を説明したが、本発明は、上記した形態に限定されるものでなく、要旨を逸脱しない条件の変更等は全て本発明の適用範囲である。
前述の実施の形態においては、吊り具１０は、直管形ＬＥＤランプＬＭＰに取り付けられていたが、これに限定されるものではない。吊り具は、例えば直管形蛍光灯等の直管形のランプに取り付けることができる。
【００５４】
また、前述の実施の形態においては、取付部材２０の第１の連結部２２０に、ホルダ部材３０の第２の連結部３２０に設けられた突部ＰＲＪ１２ａ、ＰＲＪ１２ｂが嵌る孔Ｈ１２ａ、Ｈ１２ｂが形成されていたが、これに限定されるものではない。取付部材の第１の連結部及びホルダ部材の第２の連結部のうち、いずれか一方に突部が設けられ、他方に突部が嵌る孔が形成されていてもよい。更に、突部が嵌る孔に代えて、窪みであってもよい。
【００５５】
ホルダ部材が揺れ動くことを抑制する抑制部は、ホルダ部材が揺れ動くことを抑制することができれば、突部でなくてもよい。また、抑制部は、第２の連結部に設けられていなくてもよい。
【００５６】
吊り具の材質は、光を拡散する拡散剤を含有する樹脂であってもよい。また、吊り具の材質が紫外線吸収剤を含有する樹脂であり、直管形ランプがブラックライトであってもよい。このような吊り具は、人目を引くので、吊り下げている広告が注目されやすくなる効果がある。
【００５７】
ホルダ部材は、前述の実施の形態における取付部材２０から挟み込み部２１０の機能が取り除かれた取付部材であって、ランプを有する灯具の任意の場所（ランプを除く）に取り付けられた取付部材に連結されてもよい。例えば、ホルダ部材は、逆富士型の灯具の反射板に取り付けられた取付部材に連結されてもよい。
この場合、取付部材及びホルダ部材が有する連結部のうち、いずれか一方に突部が設けられ、他方に突部が嵌る孔が形成されていればよい。なお、この孔は、突部が嵌る窪みであってもよい。
すなわち、吊り具は、灯具に取り付けられる取付部材と、広告の上端部の一部を保持する広告保持部及びこの広告保持部から突出し取り付け部材に連結される連結部を有するホルダ部材と、を備え、取付部材及び連結部のうち、いずれか一方に突部が設けられ、他方にこの突部が嵌る孔又は窪みが形成されていてもよい。ここで、この灯具及び灯具に取り付けられた取付部材は、広告を吊り下げるホルダ部材が連結される照明器具と捉えることができる。
【００５８】
吊り具が保持する対象物は、広告に限定されるものではなく、例えば案内表示であってもよい。吊り具は、任意の表示物を吊り下げることができる。
【符号の説明】
【００５９】
１０：吊り具、２０：取付部材、３０：ホルダ部材、３０ａ：第１の板状部材、３０ｂ：第２の板状部材、２１０：挟み込み部、２１１ａ〜２２２ｊ：肉盗み部、２１２：内周面、２１４：外周面、２１６：突部、２２０：第１の連結部、２２２ａ：正面部材、２２２ｂ：背面部材、２２２ｃ：側面部材、３１０：広告保持部、３１０ａ、３１０ｂ：矩形部、３２０：第２の連結部、３２０ａ、３２０ｂ：三角形部、３３０ａ、３３０ｂ：突部、ＡＤ：広告、ＢＮＤ：結束バンド、ＧＲＶ１０、ＧＲＶ１２ａ、ＧＲＶ１２ｂ：溝、Ｈ１０ａ、Ｈ１０ｂ、Ｈ１２ａ、Ｈ１２ｂ、Ｈ２０ａ、Ｈ２２ｂ：孔、ＬＭＰ：直管形ＬＥＤランプ、ＰＲＪ５、ＰＲＪ１０ａ、ＰＲＪ１０ｂ、ＰＲＪ１２ａ、ＰＲＪ１２ｂ：突部、ＰＲＪ１４ａ、ＰＲＪ１６ｂ：突起
【要約】
【課題】任意の幅の広告を吊り下げられる吊り具を提供する。
【解決手段】吊り具１０は、直管形ランプＬＭＰに径方向から差し込まれ、直管形ランプＬＭＰを挟み込む挟み込み部２１０及び挟み込み部２１０から突出する第１の連結部２２０を有する取付部材２０と、広告ＡＤの上端部の一部を保持する広告保持部３１０及び広告保持部３１０から突出し、第１の連結部２２０に連結される第２の連結部３２０を有するホルダ部材３０と、を備える。
【選択図】図１【図１】
0005837660.tif 000002
【図２Ａ】
0005837660.tif 000003
【図２Ｂ】
0005837660.tif 000004
【図３Ａ】
0005837660.tif 000005
【図３Ｂ】
0005837660.tif 000006
【図３Ｃ】
0005837660.tif 000007
【図４】
0005837660.tif 000008
【図５Ａ】
0005837660.tif 000009
【図５Ｂ】
0005837660.tif 000010
【図５Ｃ】
0005837660.tif 000011
【図６Ａ】
0005837660.tif 000012
【図６Ｂ】
0005837660.tif 000013
【図７】
0005837660.tif 000014
【図８】
0005837660.tif 000015